(57)【要約】  検体検査システム内で処理されている複数検体の優先度と処理進捗を勘案しながら、特定検体に対する優先処理を実行することができる検体検査システムである。検体検査システムにおいて、検体アクセスシステム１０８から特定検体ＩＤおよび優先処理要求レベル識別コードを含む特定検体優先処理要求を受け付けた際に、特定検体優先処理要求に添付される優先処理要求レベル識別コードに基づいて特定検体優先処理方針決定表を選択し、特定検体優先処理方針決定表および検体の処理状況に基づいて、特定検体優先処理方針を決定し、特定検体ＩＤに関する検体ＩＤを指定して特定検体優先処理方針を検体検査装置群１１９に送信する検体検査装置管理サーバ１０１を備えた。
2010137441.tif 000002
【特許請求の範囲】
【請求項１】
検体検査装置とネットワークを介して接続する検体検査装置管理サーバであって、
優先処理要求に対する受け入れ方針を決定するための検体優先処理方針情報を記憶する記憶部と、
検体ＩＤおよび優先処理要求レベルを示す情報を含む検体優先処理要求を受け付けた際に、検体の処理状況および前記優先処理要求レベルに基づいて、前記検体優先処理方針情報を参照して前記検体ＩＤに対応する検体の優先処理方針を決定し、当該検体の優先処理方針を示す情報を前記検体検査装置に送信する処理部とを備えることを特徴とする検体検査装置管理サーバ。
【請求項２】
請求項１記載の検体検査装置管理サーバであって、
前記検体優先処理方針情報は、検体の処理状況および優先処理要求レベルに応じて異なる複数の優先処理方針の情報を含むことを特徴とする検体検査装置管理サーバ。
【請求項３】
請求項１記載の検体検査装置管理サーバであって、
前記検体優先処理方針情報が少なくとも拒絶領域および受け入れ領域の中の１つから構成されており、
前記処理部は、検体の処理状況および前記優先処理要求レベルに基づいて、前記検体優先処理方針情報を参照し、前記検体優先処理要求の拒絶、または受け入れのいずれかを選択することで前記検体優先処理方針を決定し、前記検体優先処理要求を受け入れると決定した場合に、当該検体の優先処理方針を示す情報を前記検体検査装置に送信することを特徴とする検体検査装置管理サーバ。
【請求項４】
請求項１記載の検体検査装置管理サーバであって、
前記検体優先処理方針情報が少なくとも拒絶領域および保護領域を含む受け入れ領域の中の１つから構成されており、
前記処理部は、検体の処理状況および前記優先処理要求レベルに基づいて、前記検体優先処理方針情報を参照し、前記検体優先処理要求の拒絶と受け入れのいずれかを選択することで前記検体優先処理方針を決定し、前記検体優先処理要求を受け入れると判定した場合に、前記保護領域を参照して保護条件を生成し、前記保護条件を指定して前記検体の優先処理方針を示す情報を前記検体検査装置に送信することを特徴とする検体検査装置管理サーバ。
【請求項５】
請求項１記載の検体検査装置管理サーバであって、
前記検体優先処理方針情報が少なくとも拒絶領域、受け入れ領域、および介在領域の中の１つから構成されており、
前記処理部は、検体の処理状況および前記優先処理要求レベルに基づいて、前記検体優先処理方針情報を参照し、前記検体優先処理要求の拒絶、受け入れ、または介在のいずれかを選択することで前記検体優先処理方針を決定し、介在を選択する場合には、介在を選択した後に優先処理方針補足情報を受け付け、前記優先処理方針補足情報に基づいて前記検体の優先処理方針を決定することを特徴とする検体検査装置管理サーバ。
【請求項６】
請求項５記載の検体検査装置管理サーバであって、
前記介在要求が少なくとも検体ＩＤ、子検体ＩＤ、検体優先処理方針情報、および処理状況データの中の１つを含むことを特徴とする検体検査装置管理サーバ。
【請求項７】
請求項５記載の検体検査装置管理サーバにおいて、
前記優先処理方針補足情報が少なくとも検体ＩＤ、子検体ＩＤ、および保護条件の中の１つを含むことを特徴とする検体検査装置管理サーバ。
【請求項８】
検体の検査に係る検体検査装置であって、
優先処理要求に対する受け入れ方針を決定するための検体優先処理方針情報を記憶する記憶部と、
検体ＩＤおよび優先処理要求レベルを示す情報を含む検体優先処理要求を受け付けた際に、検体の処理状況および前記優先処理要求レベルに基づいて、前記検体優先処理方針情報を参照して前記検体ＩＤに対応する検体の優先処理方針を決定する処理部とを備えることを特徴とする検体検査装置。
【請求項９】
請求項８記載の検体検査装置であって、
前記検体優先処理方針情報は、検体の処理状況および優先処理要求レベルに応じて異なる複数の優先処理方針の情報を含むことを特徴とする検体検査装置。
【請求項１０】
請求項８記載の検体検査装置であって、
前記検体優先処理方針情報が少なくとも拒絶領域および受け入れ領域の中の１つから構成されており、
前記処理部は、検体の処理状況および前記優先処理要求レベルに基づいて、前記検体優先処理方針情報を参照し、前記検体優先処理要求の拒絶、または受け入れのいずれかを選択することで前記検体優先処理方針を決定し、前記検体優先処理要求を受け入れると決定した場合に、当該優先処理方針に基づいて当該検体を検査することを特徴とする検体検査装置。
【請求項１１】
請求項８記載の検体検査装置であって、
前記検体優先処理方針情報が少なくとも拒絶領域および保護領域を含む受け入れ領域の中の１つから構成されており、
前記処理部は、検体の処理状況および前記優先処理要求レベルに基づいて、前記検体優先処理方針情報を参照し、前記検体優先処理要求の拒絶と受け入れのいずれかを選択することで前記検体優先処理方針を決定し、前記検体優先処理要求を受け入れると判定した場合に、前記保護領域を参照して保護条件を生成し、前記保護条件を指定して前記検体優先処理方針に基づいて当該検体を検査することを特徴とする検体検査装置。
【請求項１２】
請求項８記載の検体検査装置であって、
前記検体優先処理方針情報が少なくとも拒絶領域、受け入れ領域、および介在領域の中の１つから構成されており、
前記処理部は、検体の処理状況および前記優先処理要求レベルに基づいて、前記検体優先処理方針情報を参照し、前記検体優先処理要求の拒絶、受け入れ、または介在のいずれかを選択することで前記検体優先処理方針を決定し、介在を選択する場合には、介在を選択した後に優先処理方針補足情報を受け付け、前記優先処理方針補足情報に基づいて前記検体優先処理方針を決定することを特徴とする検体検査装置。
【請求項１３】
請求項１２記載の検体検査装置であって、
前記介在要求が少なくとも検体ＩＤ、子検体ＩＤ、検体優先処理方針情報、および処理状況データの中の１つを含むことを特徴とする検体検査装置。
【請求項１４】
請求項１２記載の検体検査装置において、
前記優先処理方針補足情報が少なくとも検体ＩＤ、子検体ＩＤ、および保護条件の中の１つを含むことを特徴とする検体検査装置。
【請求項１５】
前処理装置および分析装置から構成される検体検査装置群、ローカル端末、および検体アクセスシステムとネットワーク経由で接続して検体の検査を遂行する検体検査装置管理サーバであって、
優先処理要求に対する受け入れ方針を決定するための特定検体優先処理方針決定表を予め記憶する方針管理データベースと、
前記検体アクセスシステムから特定検体ＩＤおよび優先処理要求レベル識別コードを含む特定検体優先処理要求を受け付けた際に、前記特定検体優先処理要求に添付される優先処理要求レベル識別コードに基づいて前記特定検体優先処理方針決定表を選択し、前記特定検体優先処理方針決定表および前記検体の処理状況に基づいて、特定検体優先処理方針を決定し、前記特定検体ＩＤに関する検体ＩＤを指定して前記特定検体優先処理方針を前記検体検査装置群に送信する処理部とを備えたことを特徴とする検体検査装置管理サーバ。
【請求項１６】
前処理装置および分析装置から構成される検体検査装置群、ローカル端末、および検体アクセスシステムをネットワークで接続して検体の検査を遂行する検体検査システムであって、
優先処理要求に対する受け入れ方針を決定するための特定検体優先処理方針決定表を予め記憶する方針管理データベースと、
前記検体検査装置群に設けられ、前記検体アクセスシステムから特定検体ＩＤおよび優先処理要求レベル識別コードを含む特定検体優先処理要求を受け付けた際に、前記特定検体優先処理要求に添付される優先処理要求レベル識別コードに基づいて前記特定検体優先処理方針決定表を選択し、前記特定検体優先処理方針決定表および前記検体の処理状況に基づいて、特定検体優先処理方針を決定し、前記特定検体ＩＤに関する検体ＩＤを指定して前記特定検体優先処理方針を前記前処理装置および前記分析装置に送信する処理部とを備えたことを特徴とする検体検査システム。
【請求項１７】
前処理装置および分析装置から構成される検体検査装置群、検体検査装置管理サーバ、ローカル端末、および検体アクセスシステムをネットワークで接続して検体の検査を遂行する検体検査方法であって、
前記検体検査装置管理サーバにより、優先処理要求に対する受け入れ方針を決定するための特定検体優先処理方針決定表を予め記憶し、前記検体アクセスシステムから特定検体ＩＤおよび優先処理要求レベル識別コードを含む特定検体優先処理要求を受け付けた際に、前記特定検体優先処理要求に添付される優先処理要求レベル識別コードに基づいて前記特定検体優先処理方針決定表を選択し、前記特定検体優先処理方針決定表および前記検体の処理状況に基づいて、特定検体優先処理方針を決定し、前記特定検体ＩＤに関する検体ＩＤを指定して前記特定検体優先処理方針を前記検体検査装置群に送信し、
前記検体検査装置群により、前記特定検体優先処理方針を受信した際に、前記検体ＩＤに関する処理が完了しているか否かを判定し、処理が完了していない場合にのみ前記特定検体優先処理方針に基づいて検体検査を遂行することを特徴とする検体検査方法。
【発明の詳細な説明】
【技術分野】
【０００１】
本発明は、検体検査装置管理サーバ、検体検査システム、および検体検査方法に関し、特に、検査に先立って検体に対する前処理装置と、前処理を完了した検体を分析する分析装置を使用する際の処理に関する。
【背景技術】
【０００２】
近年、病院の検査室では、前処理装置や分析装置などから構成される検体検査システムを導入することで、検査処理の高速化を実現し、医師に対する迅速な検査結果の報告を可能としている。【０００３】
また、入院患者の定期的な検査、外来患者の検査、手術中の患者の検査のように迅速さに関する要件の異なる検体に関しても、その要件に応じた検体に優先度を割り振ることで、要件に応じた迅速な検査結果の報告を可能としている。【０００４】
例えば、前処理装置では、高い優先度が割り当てられた検体を優先的に送り出すことで対処する。さらに、特開平１１−２８１６５２号公報（特許文献１）には、前処理装置に予め割り当てられている検体の優先度を更新することで、特定の検体に対する前処理を早めたい場合には、優先度を更新することで対処する技術の記載がある。
【先行技術文献】
【特許文献】
【０００５】
【特許文献１】特開平１１−２８１６５２号公報
【発明の概要】
【発明が解決しようとする課題】
【０００６】
しかしながら、特許文献１には、検体検査システム内で、優先度の更新と並行して処理される検体の優先度と処理進捗を勘案して優先度を更新することは出来ない。そのため、特定検体の優先度を更新した場合、特定検体と並行して処理される検体の処理をむやみに遅らせてしまうという課題がある。【０００７】
また、こうした問題を低減するために、医師に、特定検体に割り当てられた優先度を更新する仕組みを提供することが困難であった。これにより、特定検体に対する更新要求が有る場合には、医師からオペレータへの電話による問合せで対応せざるを得ず、オペレータの作業効率が低下する主な要因の１つと成り得た。【０００８】
そこで、本発明の目的は、検体の優先度と処理進捗を勘案しながら、特定検体に対する優先処理を実行することができる検体検査装置管理サーバ、検体検査システム、および検体検査方法を提供することである。【０００９】
本発明の前記ならびにその他の目的と新規な特徴は、本明細書の記述および添付図面から明らかになるであろう。
【課題を解決するための手段】
【００１０】
本願において開示される発明のうち、代表的なものの概要を簡単に説明すれば、次の通りである。【００１１】
すなわち、代表的なものの概要は、検体アクセスシステムから特定検体ＩＤおよび優先処理要求レベル識別コードを含む特定検体優先処理要求を受け付けた際に、特定検体優先処理要求に添付される優先処理要求レベル識別コードに基づいて特定検体優先処理方針決定表を選択し、特定検体優先処理方針決定表および検体の処理状況に基づいて、特定検体優先処理方針を決定し、特定検体ＩＤに関する検体ＩＤを指定して特定検体優先処理方針を検体検査装置群に送信する処理部とを備えたものである。
【発明の効果】
【００１２】
本願において開示される発明のうち、代表的なものによって得られる効果を簡単に説明すれば以下の通りである。【００１３】
すなわち、代表的なものによって得られる効果は、検体の優先度と処理進捗を勘案しながら、特定検体に対する優先処理を実行することができる。
【図面の簡単な説明】
【００１４】
【図１】本発明の一実施の形態に係る検体検査方法を実施する検体検査システムの構成要素とメッセージフローを示す図である。
【図２】本発明の一実施の形態に係る検体検査方法を実施する検体検査システムのネットワーク構成を示す図である。
【図３】本発明の一実施の形態に係る検体検査方法を実施する検体検査システムの前処理装置の構成を示す図である。
【図４】図１２に示すステップ１２０４における分析装置の処理フローを示す図である。
【図５】本発明の一実施の形態に係る検体検査方法を実施する検体検査システムの検体検査装置管理サーバのソフトウェア構成を示す図である。
【図６】（ａ）〜（ｃ）は本発明の一実施の形態に係る検体検査方法を実施する検体検査システムの検体検査装置管理サーバの検査管理メモリに格納するデータのデータ構造の一例を示す図である。
【図７】本発明の一実施の形態に係る検体検査方法を実施する検体検査システムの臨床検査部門サーバが保持する検体登録表の構造の一例を示す図である。
【図８】（ａ）、（ｂ）は本発明の一実施の形態に係る検体検査方法を実施する検体検査システムの検体検査装置管理サーバの方針管理ＤＢに格納するデータのデータ構造を示す図である。
【図９】（ａ）〜（ｃ）は本発明の一実施の形態に係る検体検査方法を実施する検体検査システムにおいて、オペレータがローカル端末に特定検体優先処理方針決定表を登録する際の画面イメージを示す図である。
【図１０】本発明の一実施の形態に係る検体検査方法におけるオペレータが特定検体優先処理方針決定表を登録する際の検体検査装置管理サーバの処理フローを示す図である。
【図１１】本発明の一実施の形態に係る検体検査方法における特定検体優先処理要求を検体検査装置管理サーバが受ける際の処理フローを示す図である。
【図１２】本発明の一実施の形態に係る検体検査方法における前処理装置と分析装置が優先処理方針を受け付ける際の処理フローを示す図である。
【図１３】本発明の一実施の形態に係る検体検査方法を実施する検体検査システムの分析装置の構成を示す図である。
【図１４】本発明の一実施の形態に係る検体検査方法を実施する検体検査システムのローカル端末のソフトウェア構成を示す図である。
【図１５】（ａ）、（ｂ）は本発明の一実施の形態に係る検体検査方法を実施する検体検査システムの検体検査装置管理サーバ−検体アクセスシステム間のメッセージ構造を示す図である。
【図１６】（ａ）、（ｂ）は本発明の一実施の形態に係る検体検査方法を実施する検体検査システムの検体検査装置管理サーバ−ローカル端末間のメッセージ構造を示す図である。
【図１７】（ａ）、（ｂ）は本発明の一実施の形態に係る検体検査方法を実施する検体検査システムの検体検査装置管理サーバ−検体検査装置群間のメッセージ構造を示す図である。
【図１８】本発明の一実施の形態に係る検体検査方法におけるオペレータが特定検体優先処理方針決定表を登録する際のローカル端末の処理フローを示す図である。
【図１９】本発明の一実施の形態に係る検体検査方法における検体アクセスシステムが、検体検査装置管理サーバへ特定検体優先処理要求を送信する処理フローを示す図である。
【図２０】図１１に示すステップ１１１０における介在管理部の処理フローを示す図である。
【図２１】本発明の一実施の形態に係る検体検査方法における介在要求を受信した際のローカル端末の処理フローを示す図である。
【図２２】図１１に示すステップ１１０２における要求管理部の処理フローを示す図である。
【図２３】図１１に示すステップ１１０４における優先処理方針管理部の処理フローを示す図である。
【図２４】図１１に示すステップ１１０５における優先処理方針管理部の処理フローを示す図である。
【図２５】本発明の一実施の形態に係る検体検査方法を実施する検体検査システムの検査管理メモリがそれぞれ備える保護条件格納表のデータ構造を示す図である。
【図２６】検体検査装置管理サーバ１０１とローカル端末１０７を前処理装置２０１内に組込む構成の例である。
【発明を実施するための形態】
【００１５】
以下、本発明の実施の形態を図面に基づいて詳細に説明する。なお、実施の形態を説明するための全図において、同一の部材には原則として同一の符号を付し、その繰り返しの説明は省略する。
【００１６】
以下の本実施の形態の説明においては、検体検査システムが複数検体の検査を遂行している状況において、複数検体の中から特定の検体（以下、特定検体と呼ぶ）を指定する優先処理要求を受け付けて、複数の処理状況を勘案しながら要求を遂行する検体検査方法について説明する。
【００１７】
特に、本実施の形態では、複数検体のそれぞれには優先度が割り振られており、検体検査システムでは、優先度に基づいて検査を遂行するものとし、また、診療室やレントゲン検査部門から要求をネットワーク経由で受け付けるものとして説明する。
【００１８】
図１は、本発明の一実施の形態に係る検体検査方法を実施する検体検査システムの構成要素とメッセージフローを示す図である。
【００１９】
図１において、検体検査システムは、検体検査装置群１１９と、検体検査装置管理サーバ１０１と、ローカル端末１０７と、検体アクセスシステム１０８とで構成される。
【００２０】
検体検査装置管理サーバ１０１と検体アクセスシステム１０８は、特定の検体に対する優先処理要求である特定検体優先処理要求１１０と、特定検体優先処理要求１１０に対する結果である結果１１１をメッセージ形式で送受信する。
【００２１】
また、検体検査装置群１１９と検体検査装置管理サーバ１０１は、検体の処理進捗である処理進捗１１７と、特定検体に対する優先処理の方針である特定検体優先処理方針１１８をメッセージ形式で送受信する。
【００２２】
さらに、検体検査装置管理サーバ１０１とローカル端末１０７は、特定検体優先処理要求１１０と処理進捗１１７に対する優先処理の方針を決定するための優先処理方針決定表１１４と、オペレータに対して介在を要求する介在要求１１５と、優先処理方針の補足である優先処理方針補足１１６をメッセージ形式で送受信する。
【００２３】
図２は、本発明の一実施の形態に係る検体検査方法を実施する検体検査システムのネットワーク構成を示す図である。
【００２４】
図２において、検体検査システムは、検体検査装置群１１９と、検体検査装置管理サーバ１０１と、ローカル端末１０７と、検体アクセスシステム１０８とをネットワーク経由で接続する。また、検体アクセスシステム１０８は、検体検査の登録依頼などを行うリモート端末２０６と、臨床検査の登録・結果などを管理する臨床検査部門サーバ２０８と、レントゲン検査部門のサーバである他部門サーバ２０７とをネットワーク２０９で接続して構成される。
【００２５】
また、検体検査装置群１１９は、試験管に格納された検体のストックと、試験管の栓を開ける開栓と、検体を複数の子検体に分ける分注などを行う前処理装置２０１と、検体の取り込みおよび送り出し、搬送を行う搬送路２０５と、子検体の分析を行う分析装置（２０２、２０３、２０４）をネットワーク２１１で接続して構成される。
【００２６】
臨床検査部門サーバ２０８と、検体検査装置管理サーバ１０１と、ローカル端末１０７は、ネットワーク２１０で接続して構成される。また、検体検査装置管理サーバ１０１と、前処理装置２０１と、分析装置（２０２、２０３、２０４）は、ネットワーク２１１で接続して構成される。
【００２７】
本実施の形態では、診察室のドクタがリモート端末２０６から特定検体に対する優先処理要求を依頼するものとする。また、レントゲン部門の検査技師が他部門サーバ２０７に接続される図に示していない端末から特定検体に対する優先処理要求を依頼するものとする。さらに、他部門サーバ２０７に格納されるプログラムが特定検体に対する優先処理要求を依頼するものとする。なお、リモート端末２０６と他部門サーバ２０７が連動することで、優先処理要求を依頼してもよい。
【００２８】
図５は、本発明の一実施の形態に係る検体検査方法を実施する検体検査システムの検体検査装置管理サーバのソフトウェア構成を示す図である。
【００２９】
図５において、検体検査装置管理サーバ１０１は、ネットワーク２１０を経由した通信を行う通信部５０５と、特定検体に対する要求を管理する要求管理部５０２と、特定検体に対する優先処理方針を管理する優先処理方針管理部５０１と、オペレータによる介在を管理する介在管理部５０４と、検体検査の処理状況などを管理する検体検査システム管理部５０６と、ネットワーク２１１を経由した通信を行う通信部５０７と、要求レベル−決定表対応表５０８、優先処理方針決定表格納表５０９を格納する方針管理ＤＢ５０３と、検体登録表５１１、検体別処理状況管理表５１２、優先度別処理状況管理表５１３を格納する検査管理メモリ５１０とから構成される。
【００３０】
図１４は、本発明の一実施の形態に係る検体検査方法を実施する検体検査システムのローカル端末のソフトウェア構成を示す図である。
【００３１】
図１４において、ローカル端末１０７は、ネットワーク２１０を経由した通信を行う通信部１４０１と、優先処理方針決定表を予め登録する優先処理方針決定表事前登録部１４０２と、優先処理方針の決定への介在を依頼する介在依頼部１４０３と、ＧＵＩ部１４０４から構成される。
【００３２】
図３は、本発明の一実施の形態に係る検体検査方法を実施する検体検査システムの前処理装置の構成を示す図である。
【００３３】
図３において、前処理装置２０１は、制御部３０７と、前処理部（３０８、３０９、３１０、３１１）とから構成される。また、制御部３０７は、ネットワーク２１１を経由した通信を行う通信部３０２と、検体検査の進捗を管理する検査進捗管理部３０５と、優先制御の方針を受け付ける優先処理方針受付部３０３と、前処理部（３０８、３０９、３１０、３１１）、搬送路２０５を制御する検査制御ロジック部３０４と、保護条件格納表３２２などを備える検査管理メモリ３０６とから構成される。
【００３４】
前処理部（３０８、３０９、３１０、３１１）は、それぞれ、処理対象である検体を搬送路２０５へ送り出す送り出し部（３１４、３１６、３１８、３２０）と、搬送路２０５から検体を取り込む取り込み部（３１５、３１７、３１９、３２１）とから構成される。
【００３５】
ここで、前処理部３０８は、検体を並べて格納するためのストッカである。このため前処理部３０８には、並べられた検体の中から送り出すべき検体を送り出し部３１４へ配置するための機能と、取り込み部３１５の検体を並べて配置する機能とを備えるアーム３１３を備える。
【００３６】
前処理装置２０１の検査制御ロジック部３０４は、検体ＩＤ、優先度、検査項目ＩＤに基づいて前処理部（３０８、３０９、３１０、３１１）と搬送路２０５を制御することで、検体に対する分注、搬送などの前処理を施す。
【００３７】
また、検査進捗管理部３０５は、前処理の進捗状況を前処理部（３０８、３０９、３１０、３１１）と搬送路２０５から収集して検査管理メモリ３０６に格納する。また、検査進捗管理部３０５は、所定のタイミングで検査管理メモリ３０６に格納された前処理の進捗状況を読み込み、通信部３０２とネットワーク２１１を経由して、検体検査装置管理サーバ１０１へ送信する。
【００３８】
図１３は、本発明の一実施の形態に係る検体検査方法を実施する検体検査システムの分析装置の構成を示す図である。
【００３９】
図１３において、分析装置（２０２、２０３、２０４）は、それぞれ、制御部（１３０４、１３０５、１３０６）と、分析部（１３２５、１３２６、１３２７）をネットワーク（１３２２、１３２３、１３２４）経由で接続して構成される。
【００４０】
制御部（１３０４、１３０５、１３０６）は、ネットワーク２１１を経由した通信を行う通信部（１３０７、１３０８、１３０９）と、検体検査の進捗を管理する検査進捗管理部（１３１０、１３１１、１３１２）と、優先処理方針を受け付ける優先処理方針受付部（１３１６、１３１７、１３１８）と、分析部（１３２５、１３２６、１３２７）を制御する検査制御ロジック部（１３１９、１３２０、１３２１）と、保護条件格納表（１３３４、１３３５、１３３６）などを備える検査管理メモリ（１３１３、１３１４、１３１５）とから構成される。
【００４１】
分析部（１３２５、１３２６、１３２７）は、それぞれ、処理対象である検体を搬送路２０５へ送り出す送り出し部（１３２８、１３２９、１３３０）と、搬送路２０５から検体を取り込む取り込み部（１３３１、１３３２、１３３３）とから構成される。
【００４２】
分析装置（２０２、２０３、２０４）の検査制御ロジック部（１３１９、１３２０、１３２１）は、それぞれ、検体検査装置管理サーバ１０１から送信される検体ＩＤと子検体ＩＤと優先度と検査項目ＩＤに基づいて、分析部（１３２５、１３２６、１３２７）を制御することで子検体を分析する。
【００４３】
また、検査進捗管理部（１３１０、１３１１、１３１２）は、それぞれ、分析の進捗状況を分析部（１３２５、１３２６、１３２７）から収集して検査管理メモリ（１３１３、１３１４、１３１５）に格納する。
【００４４】
また、検査進捗管理部（１３１０、１３１１、１３１２）は、所定のタイミングで検査管理メモリ（１３１３、１３１４、１３１５）に格納された分析の進捗状況を読み込み、通信部（１３０７、１３０８、１３０９）とネットワーク２１１を経由して、検体検査装置管理サーバ１０１へ送信する。
【００４５】
図７は、本発明の一実施の形態に係る検体検査方法を実施する検体検査システムの臨床検査部門サーバが保持する検体登録表の構造の一例を示す図である。
【００４６】
図７において、検体登録表は、患者ＩＤ７０１と、検体ＩＤ７０２と、優先度７０３と、指定終了時刻７０４と、検査項目ＩＤ７０５とから構成される。検体登録表は、例えば、リモート端末２０６からネットワーク２０９を経由して臨床検査部門サーバ２０８へ転送することで構成される。検体ＩＤ７０２は、血液と尿などの検査対象に割り当てられるＩＤである。血液と尿などのうちのいずれか一つを検査対象としてもよいし、複数を検査対象としてもよい。
【００４７】
本実施の形態では、指定終了時刻７０４は、入院患者の検体、または、外来採血用の検体といった検体種別に基づいて定められるものとする。例えば、患者ＩＤ７０１から上記検体種別を判定することができる。検体種別の判定は、ドクタなどによる判定であってもよいし、ソフトウェアプログラムによる判定であってもよい。また、指定終了時刻７０４を定めるために、上記判定において検査項目ＩＤ７０５なども勘案して判定するようにしてもよい。
【００４８】
図６は、本発明の一実施の形態に係る検体検査方法を実施する検体検査システムの検体検査装置管理サーバの検査管理メモリに格納するデータのデータ構造の一例を示す図であり、図６（ａ）は、検体登録表５１１のデータ構造である検体登録表データ構造、図６（ｂ）は、検体別処理状況管理表５１２のデータ構造である検体別処理状況管理表データ構造、図６（ｃ）は、優先度別処理状況管理表５１３のデータ構造である優先度別処理状況管理表データ構造を示している。
【００４９】
まず、図６（ａ）の検体登録表データ構造は、検体ＩＤ６０１と、子検体ＩＤ６０２と、優先度６０３と、指定終了時刻６０４とで構成される。
【００５０】
次に、図６（ｂ）の検体別処理状況管理表データ構造は、検体ＩＤ６０５と、子検体ＩＤ６０６と、開始時刻６０７と、完了フラグ６０８とで構成される。
【００５１】
次に、図６（ｃ）の優先度別処理状況管理表データ構造は、優先度１（６０９）と、優先度２（６１０）と、優先度３（６１１）と、優先度４（６１２）と、優先度５（６１３）と、優先度６（６１４）とから構成される。
【００５２】
以下、検査管理メモリ５１０に格納される検体登録表５１１と、検体別処理状況管理表５１２の作成手順に関して、一例を示す。
【００５３】
まず、臨床検査部門サーバ２０８が、ネットワーク２１０を経由して検体検査装置管理サーバ１０１へ、図７の検体登録表に示す検体ＩＤと優先度と指定終了時刻と検査項目ＩＤを送信する。
【００５４】
検体検査装置管理サーバ１０１は、検体ＩＤ、優先度、指定終了時刻、検査項目ＩＤを受信し、検体ＩＤ、優先度、指定終了時刻を、それぞれ、検体登録表５１１の検体ＩＤ６０１、優先度６０３、指定終了時刻６０４に格納する。
【００５５】
次に、検体検査装置管理サーバ１０１がネットワーク２１１を経由して、前処理装置２０１へ、検体ＩＤ、優先度、検査項目ＩＤを送信する。前処理装置２０１は、検体ＩＤ、優先度、検査項目ＩＤに基づいて検体を子検体に分注する処理を施した後、検体ＩＤと子検体ＩＤのセットと開始時刻を検体検査装置管理サーバ１０１へ送信する。
【００５６】
検体検査装置管理サーバ１０１は、検体ＩＤと子検体ＩＤのセットと開始時刻を受信し、まず、子検体ＩＤを検体登録表５１１の子検体ＩＤ６０２に格納する。
【００５７】
次に、検体ＩＤ、子検体ＩＤ、開始時刻を、それぞれ、検体別処理状況管理表５１２の検体ＩＤ６０５、子検体ＩＤ６０６、開始時刻６０７に格納する。
【００５８】
図８は、本発明の一実施の形態に係る検体検査方法を実施する検体検査システムの検体検査装置管理サーバの方針管理ＤＢに格納するデータのデータ構造を示す図であり、図８（ａ）は、方針管理ＤＢ５０３に格納する要求レベル−決定表対応表５０８のデータ構造である要求レベル−決定表対応表データ構造、図８（ｂ）は、優先処理方針決定表格納表５０９のデータ構造である優先処理方針決定表格納表データ構造を示している。
【００５９】
まず、図８（ａ）の要求レベル−決定表対応表データ構造は、優先処理要求レベル識別コード８０２と、優先処理方針決定表識別コード８０１とで構成される。
【００６０】
図８（ｂ）の優先処理方針決定表格納表データ構造は、決定表識別コード８０６と、ＮＯＮＥ８０５と、ＮＯ  ＤＥＬＡＹ８０４と、ＤＥＬＡＹ８０３とから構成される。
【００６１】
図２５は、本発明の一実施の形態に係る検体検査方法を実施する検体検査システムの検査管理メモリがそれぞれ備える保護条件格納表のデータ構造を示す図である。
【００６２】
図２５において、検査管理メモリ（１３１３、１３１４、１３１５、３０６）がそれぞれ備える保護条件格納表（１３３４、１３３５、１３３６、３２２）には、各優先度（２５０１、２５０２、２５０３、２５０４、２５０５、２５０６）毎に保護フラグが格納される。
【００６３】
図１５は、本発明の一実施の形態に係る検体検査方法を実施する検体検査システムの検体検査装置管理サーバ−検体アクセスシステム間のメッセージ構造を示す図であり、図１５（ａ）は、特定検体優先処理要求１１０のメッセージ構造である特定検体優先処理要求メッセージ構造、図１５（ｂ）は、結果１１１のメッセージ構造である結果メッセージ構造を示している。
【００６４】
図１５（ａ）の特定検体優先処理要求メッセージ構造は、メッセージ識別コード１５０１と、優先処理要求レベル識別コード１５０２と、特定検体ＩＤ１５０６とで構成される。
【００６５】
本実施の形態では、優先処理要求レベル識別コード１５０２は、要求者の属性と要求レベルで構成される。要求者とは、特定検体に対する優先処理を要求する診療担当のドクタである。または、レントゲン部門の検査担当者である。さらに、要求者は、必ずしも人である必要はなく、レントゲン部門に設置された他部門サーバ２０７であってもよい。要求レベルとは、前記要求者が想定する優先処理に対する要求のレベルを示し、具体的には、「一刻も早く」、「早めに」といった指標で指定される。
【００６６】
次に、図１５（ｂ）の結果メッセージ構造は、メッセージ識別コード１５０３と、結果識別コード１５０４と、付帯情報１５０５とで構成される。
【００６７】
図１６は、本発明の一実施の形態に係る検体検査方法を実施する検体検査システムの検体検査装置管理サーバ−ローカル端末間のメッセージ構造を示す図であり、図１６（ａ）は、介在要求１１５のメッセージ構造である介在要求メッセージ構造、図１６（ｂ）は、優先処理方針補足１１６のメッセージ構造である優先処理方針補足メッセージ構造を示している。
【００６８】
まず、図１６（ａ）の介在要求メッセージ構造は、メッセージ識別コード１６０１と、特定検体ＩＤ１６０２と、子検体ＩＤ１６０３と、優先処理方針決定表データ１６０４、処理状況データ１６０５とで構成される。
【００６９】
次に、図１６（ｂ）の優先処理方針補足メッセージ構造は、メッセージ識別コード１６０１と、特定検体ＩＤ１６０７と、子検体ＩＤ１６０８と、保護条件１６０９とで構成される。
【００７０】
ここで、保護条件１６０９は、検体検査装置管理サーバ１０１による特定検体優先処理要求１１０の受付けに伴う処理と並行して進められる検体検査に対する保護の条件を示す。保護条件１６０９は、優先度と保護フラグをセットとして指定される。検体の保護を必要とする場合には、保護フラグに１が指定される。
【００７１】
また、検体の保護を必要としない場合には、保護フラグに０が指定される。例えば、優先度２の検体検査を保護する場合には、２と１が指定される。なお、保護条件は、指定されなくてもよい。
【００７２】
図１７は、本発明の一実施の形態に係る検体検査方法を実施する検体検査システムの検体検査装置管理サーバ−検体検査装置群間のメッセージ構造を示す図であり、図１７（ａ）は、処理進捗１１７のメッセージ構造である処理進捗メッセージ構造、図１７（ｂ）は、特定検体優先処理方針１１８のメッセージ構造である優先処理方針メッセージ構造を示している。
【００７３】
まず、図１７（ａ）の処理進捗メッセージ構造は、メッセージ識別コード１７０１と、検体ＩＤ１７０２と、子検体ＩＤ１７０３と、処理進捗１７０４とで構成される。
【００７４】
次に、図１７（ｂ）の優先処理方針メッセージ構造は、メッセージ識別コード１７０５と、特定検体ＩＤ１７０６と、子検体ＩＤ１７０７と、保護条件１７０８とで構成される。なお、保護条件１７０８は、保護条件１６０９と同義である。
【００７５】
図１８は、本発明の一実施の形態に係る検体検査方法におけるオペレータが特定検体優先処理方針決定表を登録する際のローカル端末の処理フローを示す図である。
【００７６】
まず、ＧＵＩ部１４０４は、オペレータから特定検体優先処理方針決定表に関する登録要求を受け付けて、優先処理方針決定表事前登録部１４０２へ優先処理方針決定表登録要求を通知する。優先処理方針決定表事前登録部１４０２は、通信部１４０１を経由して図には示していない優先処理方針定表登録要求を検体検査装置管理サーバ１０１へ送信する（ステップ１８０１）。
【００７７】
次に、優先処理方針決定表事前登録部１４０２は、通信部１４０１を経由して、検体検査装置管理サーバ１０１から図には示していない応答を受信する（ステップ１８０２）。
【００７８】
次に、優先処理方針決定表事前登録部１４０２は、応答を判定する（ステップ１８０３）。ステップ１８０３において、優先処理方針決定表事前登録部１４０２が、応答を登録許可通知と判定した場合には、応答に添付される優先処理要求レベル識別コードを全て読み込む（ステップ１８０４）。
【００７９】
次に、優先処理方針決定表事前登録部１４０２は、優先処理要求レベル識別コードをＧＵＩ部１４０４経由で画面に表示し、ＧＵＩ部１４０４を経由して優先処理方針決定表管理データを受け付ける（ステップ１８０５）。ここで、優先処理方針決定表管理データとは、登録対象である特定検体優先処理方針決定表に対応する優先処理要求レベル識別コードと優先処理方針決定表識別コードのセットである。
【００８０】
次に、優先処理方針決定表事前登録部１４０２は、優先処理要求レベル識別コードと優先処理方針決定表識別コードのセットに対応する特定検体優先処理方針決定表をＧＵＩ部１４０４経由で受け付ける（ステップ１８０６）。次に、決定表管理データと特定検体優先処理方針決定表を優先処理方針決定表１１４に添付して検体検査装置管理サーバ１０１へ送信し（ステップ１８０７）、本処理フローを終了する。
【００８１】
また、ステップ１８０３において、優先処理方針決定表事前登録部１４０２が、応答を全決定表登録通知と判定した場合には、ＧＵＩ部１４０４を経由して全ての決定表が登録されていることを通知して（ステップ１８０８）、本処理フローを終了する。
【００８２】
図９は、本発明の一実施の形態に係る検体検査方法を実施する検体検査システムにおいて、オペレータがローカル端末に特定検体優先処理方針決定表を登録する際の画面イメージを示す図である。
【００８３】
本実施の形態では、ドクタと他部門サーバ２０７に対して特定検体優先処理方針決定を登録する。また、ドクタに対しては、要求レベルを２つ想定し、それぞれ、「一刻も早く」と「早めに」に対して特定検体優先処理方針決定表を登録する。また、他部門サーバに対しては、要求レベルを１つ想定し、「一刻も早く」に対して特定検体優先処理方針決定表を登録する。これらの想定に基づいて、オペレータは、図９（ａ）に示すドクタ／一刻も早くと、図９（ｂ）に示すドクタ／早めにと、図９（ｃ）に示す他部門サーバ／一刻も早くを作成する。
【００８４】
処理状況（９０１、９０３、９０５）は、優先度（９０２、９０４、９０６）毎に集計した検体検査の処理状況である。
【００８５】
本実施の形態では、処理状況をＤＥＬＡＹ、ＮＯ  ＤＥＬＡＹ、ＮＯＮＥの３段階で集計するものとする。介在領域（９０８、９１３、９１１、９１６）は、特定検体に対する優先処理要求に対して、オペレータによる介在で解決することを示す。拒絶領域９１２は、特定検体に対する優先処理要求に対して、拒絶することで解決することを示す。
【００８６】
受け入れ領域（９０７、９１０、９１７）は、特定検体に対する優先処理要求に対して、受け入れることで解決することを示す。また、受け入れ領域（９０７、９１０、９１７）に属する保護領域（９０９、９１４、９１５、９１８）は、特定検体に対する優先処理要求と並行して進められる検体の検査を保護しながら受け入れることで解決することを示す。
【００８７】
図１０は、本発明の一実施の形態に係る検体検査方法におけるオペレータが特定検体優先処理方針決定表を登録する際の検体検査装置管理サーバの処理フローを示す図である。
【００８８】
まず、優先処理方針管理部５０１は、通信部５０５を経由して、ローカル端末１０７から特定検体優先処理方針決定表の登録に関する要求を受け付ける（ステップ１００１）。
【００８９】
次に、優先処理方針管理部５０１は、方針管理ＤＢ５０３の要求レベル−決定表対応表５０８を参照することで、全ての特定検体優先処理方針決定表が登録されているか否かを判定する（ステップ１００２）。
【００９０】
次に、優先処理方針管理部５０１は、ステップ１００２において、全ての特定検体優先処理方針決定表が登録されてはいないと判定した場合には、方針管理ＤＢ５０３の要求レベル−決定表対応表５０８から登録されていない特定検体優先処理方針決定表に対応する優先処理要求レベル識別コード８０２を読み込んで、通信部５０５を経由してローカル端末１０７へ送信する（ステップ１００３）。
【００９１】
次に、優先処理方針管理部５０１は、ローカル端末１０７から決定表管理データと特定検体優先処理方針決定表を受信する（ステップ１００４）。次に、優先処理方針管理部５０１は、前記決定表管理データと前記特定検体優先処理方針決定表を、それぞれ、要求レベル−決定表対応表５０８と優先処理方針決定表格納表５０９に格納して（ステップ１００５）、本処理フローを終了する。
【００９２】
また、優先処理方針管理部５０１は、ステップ１００２において、全ての特定検体優先処理方針決定表が登録されていると判定した場合には、ローカル端末１０７に全ての特定検体優先処理方針決定表を登録済みである通知を送信する（ステップ１００８）。
【００９３】
図１９は、本発明の一実施の形態に係る検体検査方法における検体アクセスシステムが、検体検査装置管理サーバへ特定検体優先処理要求を送信する処理フローを示す図である。
【００９４】
図１９に示す処理フローは、リモート端末２０６と他部門サーバ２０７のどちらか一方、または、両者で実行される。
【００９５】
本実施の形態では、リモート端末２０６で本処理フローを実行する場合について示す。
【００９６】
まず、リモート端末２０６は、臨床検査部門サーバ２０８が保持する検体登録表をネットワーク２０９経由で取得して画面に表示した後、ドクタから要求者の属性と、要求レベルを受け付けて特定検体優先処理要求を作成する（ステップ１９０１）。
【００９７】
本実施の形態では、要求者の属性としては、ドクタの所属（例えば、診療部門など）を指定するものとするが、氏名、氏名コードなどを指定してもよい。
【００９８】
次に、リモート端末２０６は、特定検体優先処理要求１１０をネットワーク２０９と臨床検査部門サーバ２０８とネットワーク２１０を経由して、検体検査装置管理サーバ１０１へ送信する（ステップ１９０２）。次に、リモート端末２０９は、結果１１１を受信して（ステップ１９０３）画面に表示し、本処理フローを終了する。
【００９９】
図１１は、本発明の一実施の形態に係る検体検査方法における特定検体優先処理要求を検体検査装置管理サーバが受け付ける際の処理フローを示す図である。
【０１００】
まず、通信部５０５は、ネットワーク２１０を経由してメッセージを受信し、メッセージに添付されたメッセージ識別コードを参照することで、メッセージが特定検体優先処理要求１１０であることを認識して、要求管理部５０２に特定検体優先処理要求１１０を通知する（ステップ１１０１）。
【０１０１】
次に、要求管理部５０２は、特定検体優先処理要求１１０に添付された優先処理要求レベル識別コード１５０２と、要求レベル−決定表対応表５０８の優先処理要求レベル識別コード８０２に格納された内容を比較することで対応する特定検体優先処理方針決定表の有無を判定する（ステップ１１０２）。
【０１０２】
ステップ１１０２において、要求管理部５０２が、対応する特定検体優先処理方針決定表が有ると判定した場合には、要求管理部５０２は、特定検体優先処理要求１１０に添付されている特定検体ＩＤ１５０６を読み込み、特定検体ＩＤ１５０６と、特定検体優先処理方針決定表の識別コードである優先処理方針決定表識別コード８０１とを優先処理方針管理部５０１に通知する。
【０１０３】
優先処理方針管理部５０１は、前記優先処理方針決定表識別コード８０１に対応する特定検体優先処理方針決定表を優先処理方針決定表格納表５０９から読み込む（ステップ１１０３）。
【０１０４】
次に、優先処理方針管理部５０１は、検体登録表５１１と検体別処理状況管理表５１２を参照することで優先度別処理状況管理表５１３を作成し、検査の処理状況を把握する（ステップ１１０４）。本実施の形態では、処理状況として、検体に割り当てられた優先度毎に、ＮＯＮＥ、ＮＯＴ  ＤＥＬＡＹ、ＤＥＬＡＹを把握するものとする。
【０１０５】
次に、優先処理方針管理部５０１は、前記処理状況と、ステップ１１０３で選択済みの特定検体優先処理方針決定表に基づいて、受け入れ判定を実行する（ステップ１１０５）。
【０１０６】
ステップ１１０５において、優先処理方針管理部５０１は、受け入れ判定の結果がＡＣＣＥＰＴである場合には、特定検体優先処理方針決定表から保護条件を取得する（ステップ１１０６）。本実施の形態では、ステップ１１０６において、特定検体ＩＤ１５０６に対応する子検体ＩＤ６０２の優先度を６に設定するものとするが、他の優先度に設定してもよい。
【０１０７】
次に、優先処理方針管理部５０１は、特定検体ＩＤ１５０６をキーとして検体登録表５１１から対応する子検体ＩＤ６０２を検索した後、検体ＩＤと、子検体ＩＤと、保護条件とに基づいて優先処理方針を作成し、検体検査システム管理部５０６と通信部５０７とネットワーク２１１を経由して特定検体優先処理方針１１８を検体検査装置群１１９へ送信する（ステップ１１０８）。
【０１０８】
次に、優先処理方針管理部５０１は、検体検査装置群１１９から結果を受信し、ネットワーク２１０と臨床検査部門サーバ２０８経由で結果を送信して（ステップ１１０９）、本処理フローを終了する。
【０１０９】
また、ステップ１１０２において、要求管理部５０２が、対応する特定検体優先処理方針決定表が無いと判定した場合には、ネットワーク２１０と臨床検査部門サーバ２０８経由で拒絶通知を送信して（ステップ１１１２）、本処理フローを終了する。
【０１１０】
また、ステップ１１０５において、要求受け入れ判定をＲＥＪＥＣＴと判定した場合には、ネットワーク２１０と臨床検査部門サーバ２０８経由で拒絶通知を送信して（ステップ１１１１）、本処理フローを終了する。
【０１１１】
また、ステップ１１０５において、要求受け入れ判定をＭＥＤＩＡＴＥと判定した場合には、優先処理方針管理部５０１は、介在管理部５０４へ介在通知を送信する。介在管理部５０４は、オペレータによる介在が入ることをネットワーク２１０と臨床検査部門サーバ２０８経由で通知する（ステップ１１０９）。
【０１１２】
次に、介在管理部５０４は、オペレータによる介在を受け付けて優先処理方針管理部５０１へ介在完了通知を送信し（ステップ１１１０）、ステップ１１０８を実行する。
【０１１３】
図２２は、図１１に示すステップ１１０２における要求管理部の処理フローを示す図である。
【０１１４】
まず、要求管理部５０２は、特定検体優先処理要求１１０に添付された優先処理要求レベル識別コード１５０２を読み込む（ステップ２２０１）。
【０１１５】
次に、要求管理部５０２は、要求レベル−決定表対応表５０８を読み込む（ステップ２２０２）。次に、要求管理部５０２は、要求レベル−決定表対応表５０８の優先処理要求レベル識別コード８０２の中に、優先処理要求レベル識別コード１５０２が有るか否かを判定する（ステップ２２０３）。
【０１１６】
ステップ２２０３において、要求管理部５０２は、優先処理要求レベル識別コード１５０２が有ると判定した場合には、優先処理方針決定表識別コード８０１を参照して優先処理要求レベル識別コード１５０２と一致するコードが有るか否かを判定する（ステップ２２０４）。
【０１１７】
ステップ２２０４において、要求管理部５０２は、一致するコードが有ると判定した場合には、ステップ１１０３を実行する。また、ステップ２２０４において、要求管理部５０２は、一致するコードが無いと判定した場合には、ステップ１１１２を実行する。
【０１１８】
ステップ２２０３において、要求管理部５０２は、優先処理要求レベル識別コード１５０２が無いと判定した場合には、ステップ１１１２を実行する。
【０１１９】
図２３は、図１１に示すステップ１１０４における優先処理方針管理部の処理フローを示す図である。
【０１２０】
まず、優先処理方針管理部５０１は、ループ変数Ｎに１を格納する（ステップ２３０１）。
【０１２１】
次に、優先処理方針管理部５０１は、検体登録表５１１の検体ＩＤ６０１と、子検体ＩＤ６０２と、優先度６０３とを参照することで、優先度Ｎとして登録されている検体ＩＤと子検体ＩＤを抽出する（ステップ２３０２）。
【０１２２】
次に、優先処理方針管理部５０１は、検体登録表５１１の検体ＩＤ６０１と指定終了時刻６０４と、検体別処理状況管理表５１２の開始時刻とを参照することで、検体ＩＤ毎に開始時刻と指定終了時刻を抽出する（ステップ２３０３）。
【０１２３】
次に、優先処理方針管理部５０１は、検体別処理状況管理表５１２の完了フラグ６０８を参照することで、検体ＩＤと子検体ＩＤ毎の処理状況を確認する（ステップ２３０４）。
【０１２４】
次に、優先処理方針管理部５０１は、検体検査装置管理サーバ１０１に内蔵された図には示していないタイマから現在の時刻を読み込む（ステップ２３０５）。次に、優先処理方針管理部５０１は、検体ＩＤ毎に処理完了数の理論値と実績値を算出する（ステップ２３０６）。本実施の形態では、優先処理方針管理部５０１は、検体ＩＤ毎に開始時刻と指定終了時刻の差分と、経過時間の比率を算出して比率に基づいて理論値を算出するものとする。具体的には、（検体ＩＤに対応する子検体ＩＤの数）×経過時間／（指定終了時刻−開始時刻）で算出する。
【０１２５】
また、本実施の形態では、優先処理方針管理部５０１は、検体ＩＤ毎に完了フラグの数を算出することで実績値を算出するものとする。
【０１２６】
次に、優先処理方針管理部５０１は、検体ＩＤ毎に理論値と実績値を比較することで優先度Ｎに関する処理状況を判定して優先度別処理状況管理表５１３の対応する欄に、状況を格納する（ステップ２３０７）。
【０１２７】
ここで、優先度Ｎに関する処理状況を判定においては、実績値＞＝理論値となる検体ＩＤの数が、所定の割合を占める場合にはＮＯＴ  ＤＥＬＡＹを優先度別処理状況管理表５１３の対応する欄に格納するものとする。
【０１２８】
また、実績値＜理論値となる検体ＩＤの数が所定の割合を占める場合にはＤＥＬＡＹを優先度別処理状況管理表５１３の対応する欄に格納するものとする。さらに、優先度Ｎに属する検体ＩＤが存在しない場合には、ＮＯＮＥを優先度別処理状況管理表５１３の対応する欄に格納するものとする。
【０１２９】
次に、優先処理方針管理部５０１は、Ｎが６よりも小さいか否かを判定する（ステップ２３０８）。ステップ２３０８において、Ｎが６よりも小さい場合には、優先処理方針管理部５０１は、Ｎをインクリメントして（ステップ２３０９）ステップ２３０２を実行する。また、Ｎが６以上の場合には、優先処理方針管理部５０１は、本処理フローを終了する。
【０１３０】
図２４は、図１１に示すステップ１１０５における優先処理方針管理部の処理フローを示す図である。
【０１３１】
まず、優先処理方針管理部５０１は、優先度別処理状況管理表５１３と、図１１に示すステップ１１０３において読み込み済みの優先処理方針決定表とを対応付ける（ステップ２４０１）。
【０１３２】
次に、優先処理方針管理部５０１は、要求拒絶に属する優先度の有無を判定する（ステップ２４０２）。ステップ２４０２において、要求拒絶に属する優先度が有ると判定した場合、優先処理方針管理部５０１は、図１１に示すステップ１１１１を実行する。
【０１３３】
また、ステップ２４０２において、要求拒絶に属する優先度が無いと判定した場合、優先処理方針管理部５０１は、要求介在に属する優先度の有無を判定する（ステップ２４０３）。
【０１３４】
ステップ２４０３において、要求介在に属する優先度が有ると判定した場合、優先処理方針管理部５０１は、図１１に示すステップ１１０９を実行する。また、ステップ２４０３において、要求介在に属する優先度が無いと判定した場合、優先処理方針管理部５０１は、図１１に示すステップ１１０６を実行する。
【０１３５】
図２０は、図１１に示すステップ１１１０における介在管理部の処理フローを示す図である。
【０１３６】
まず、介在管理部５０４は、特定検体ＩＤと、特定検体に関連する子検体ＩＤと、優先処理方針決定表と、処理状況とに基づいて介在要求を作成してローカル端末１０７に送信する（ステップ２００１）。
【０１３７】
次に、介在管理部５０４は、Ｔ秒の間待つ（ステップ２００２）。次に、介在管理部５０４は、優先処理方針補足１１６を受信したか否かを判定する（ステップ２００３）。
【０１３８】
ステップ２００３において、優先処理方針補足１１６を受信した場合、介在管理部５０４は、優先処理方針補足１１６に添付された特定検体ＩＤ１６０５と、子検体ＩＤ１６０６と、保護条件１６０７とを、優先処理方針管理部５０１に送信して本処理フローを終了する。
【０１３９】
また、ステップ２００３において、優先処理方針補足１１６を受信してない場合、介在管理部５０４は、予め定められた時間を経過したか否かを判定する（ステップ２００４）。
【０１４０】
また、ステップ２００４において、予め定められた時間を経過しないと判定した場合には、ステップ２００２に戻る。
【０１４１】
また、ステップ２００４において、予め定められた時間を経過したと判定した場合には、予め定められた保護条件をデフォルト設定した後（ステップ２００５）、特定検体ＩＤと、子検体ＩＤと、保護条件とを優先処理方針管理部５０１に送信して本処理フローを終了する。
【０１４２】
図２１は、本発明の一実施の形態に係る検体検査方法における介在要求を受信した際のローカル端末の処理フローを示す図である。
【０１４３】
まず、通信部１４０１は、受信したメッセージのメッセージ識別コードを参照し、介在要求に対応するコードであれば介在依頼部１４０３へメッセージを添付して通知する（ステップ２１０１）。
【０１４４】
介在依頼部１４０３は、ＧＵＩ部１４０４を使用して優先処理方針補足を受け付ける画面を表示する（ステップ２１０２）。次に、介在依頼部１４０３は、Ｔ秒の間待つ（ステップ２１０３）。
【０１４５】
次に、介在依頼部１４０３は、優先処理方針補足を受け付けたか否かを判定する（ステップ２１０４）。ステップ２１０４において、優先処理方針補足を受け付けた場合には、介在依頼部１４０３は、優先処理方針補足１１６を作成して検体検査装置管理サーバ１０１へ送信し（ステップ２１０６）、本処理フローを終了する。
【０１４６】
また、ステップ２１０４において、優先処理方針補足を受け付けてない場合には、介在依頼部１４０３は、所定の時間を経過したか否かを判定する（ステップ２１０５）。ステップ２１０５において、所定の時間を経過したと判定した場合には、介在依頼部１４０３は、本処理フローを終了する。
【０１４７】
また、ステップ２１０５において、所定の時間を経過してないと判定した場合には、介在依頼部１４０３は、ステップ２１０３を実行する。
【０１４８】
図１２は、本発明の一実施の形態に係る検体検査方法における前処理装置と分析装置が優先処理方針を受け付ける際の処理フローを示す図である。
【０１４９】
ここでは、分析装置２０２を例として示す。
【０１５０】
まず、通信部１３０７は、受信したメッセージのメッセージ識別コードを参照し、特定検体優先処理方針１１８を示すコードを確認した場合には（ステップ１２０１）、優先処理方針受付部１３１６へ送信する。
【０１５１】
次に、優先処理方針受付部１３１６は、特定検体優先処理方針１１８に添付される特定検体ＩＤ１７０６と、子検体ＩＤ１７０７と、検査管理メモリ１３１３とを参照し、特定検体ＩＤ１７０６と子検体ＩＤ１７０７に対応する検体を処理済みであるか否かを判定する（ステップ１２０２）。
【０１５２】
ステップ１２０２において、処理済みであると判定した場合には、優先処理方針受付部３０３は、処理済みであることを検体検査装置管理サーバ１０１に通知して（ステップ１２０５）、本処理フローを終了する。
【０１５３】
また、ステップ１２０２において、未処理であると判定した場合には、優先処理方針受付部１３１６は、特定検体優先処理方針１１８に添付された保護条件１７０８を読み込む（ステップ１２０３）。次に、保護条件１７０８と保護条件格納表１３３４に格納された保護条件群に基づいて優先処理を実行して（ステップ１２０４）、本処理フローを終了する。
【０１５４】
図４は、図１２に示すステップ１２０４における分析装置の処理フローを示す図である。
【０１５５】
まず、優先処理方針受付部１３１６は、保護条件格納表１３３４に格納された保護条件群を全て読み込み、保護条件群と保護条件１７０８を合成することで、合成済み保護条件を生成する（ステップ４０１）。本実施の形態では、論理和による合成を行うものとするが、論理積や排他的論理和による合成を行ってもよい。合成の後、保護条件１７０８を保護条件格納表１３３４に格納する。
【０１５６】
次に、優先処理方針受付部１３１６は、合成済み保護条件を検査制御ロジック部１３１９に送信する。検査制御ロジック部１３１９は、合成済み保護条件を参照し、保護フラグが０である優先度を抽出し、優先度に属する子検体を送り出し部１３２８から送り出す（ステップ４０２）。
【０１５７】
次に、検査制御ロジック部１３１９は、特定検体ＩＤに関連する子検体を検出した場合にのみ取り込み部１３３１から子検体を引き込む（ステップ４０３）。
【０１５８】
以上のように、本実施の形態では、検体検査装置管理サーバ１０１が、ローカル端末１０７から優先処理方針決定表１１４を受け付けて記憶し、検体検査装置管理サーバ１０１が検体アクセスシステム１０８から特定検体優先処理要求１１０を受け付けた際に、特定検体優先処理要求１１０に添付される優先処理要求レベル識別コードに基づいて前記特定検体優先処理方針決定表を選択し、優先処理方針決定表１１４と優先度毎の検体検査の処理状況とに基づいて特定検体優先処理方針を決定し、前記特定検体優先処理方針を前記前処理装置と前記分析装置とに配布することで、優先度の割り当てられた検体の処理をむやみに遅らせてしまうことなく、特定の検体に対する優先処理要求を受け付けて実行できる。
【０１５９】
また、特定検体優先処理要求を受け入れ可否と、介在可否という形式で優先処理方針決定表１１４を作成できるので、オペレータにとって簡単な形式で優先処理の方針を定義できる。
【０１６０】
また、検体アクセスシステム１０８がローカル端末１０７と他部門サーバ２０７をネットワークで接続することで構成されており、検体検査装置管理サーバ１０１がローカル端末１０７から、ローカル端末１０７と他部門サーバ２０７毎に定義された特定検体優先処理方針決定表を受け付けるので、要求者と要求レベルに応じて優先処理方針を決定することができる。
【０１６１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１６２】
例えば、本実施の形態では、検体検査装置管理サーバ１０１内の各管理部を分けて説明したが、これら全てを１つの処理部として構成し、この処理部により、各管理部の処理を行うようにしてもよい。
【０１６３】
また、本実施の形態では、前処理装置２０１や分析装置２０２、２０３、２０４からなる検体検査装置群１１９と、検体検査装置管理サーバ１０１を分けて説明したが、検体検査装置群１１９内に、検体検査装置管理サーバ１０１の機能を持つ処理部を設けて、検体検査システムとして構成するようにしてもよい。図２６に、検体検査装置管理サーバ１０１とローカル端末１０７を前処理装置２０１内に組込む構成の例を示す。臨床検査部門サーバ２０８と、ローカル端末１０７と、検体検査装置管理サーバ１０１と、分析装置（２０２、２０３、２０４）をネットワーク２１２を経由して接続する。また、制御部２１３と、検体検査装置管理サーバ１０１を経由して接続する。図２６に示す構成であっても、データ構造及び処理フローは、本実施形態にて説明したデータ構造及び処理フローと同様に実現できる。また、図２６に示すローカル端末１０７と検体検査装置管理サーバ１０１を同一のパソコン、ワークステーションなどに組込んで実現してもよい。
【産業上の利用可能性】
【０１６４】
本発明は、血液など（検体）の成分分析に用いられる検体検査システムに関し、特に、検査に先立って検体に対する遠心分離、分注などを行う前処理装置と、前処理を完了した検体の成分を分析する分析装置を活用するシステムなどに広く適用可能である。
【符号の説明】
【０１６５】
１０１…検体検査装置管理サーバ、１０７…ローカル端末、１０８…検体アクセスシステム、１１９…検体検査装置群、２０１…前処理装置、２０２、２０３、２０４…分析装置、２０５…搬送路、２０６…リモート端末、２０７…他部門サーバ、２０８…臨床検査部門サーバ、２０９…ネットワーク、３０２…通信部、３０３…優先処理方針受付部、３０４…検査制御ロジック部、３０５…検査進捗管理部、３０７…制御部、３０８、３０９、３１０、３１１…前処理部、３２２…保護条件格納表、３０６…検査管理メモリ、３１４、３１６、３１８、３２０…送り出し部、３１５、３１７、３１９、３２１…取り込み部、５０１…優先処理方針管理部、５０２…要求管理部、５０３…方針管理ＤＢ、５０４…介在管理部、５０５…通信部、５０６…検体検査システム管理部、５０７…通信部、５０８…要求レベル−決定表対応表、５０９…優先処理方針決定表格納表、５１０…検査管理メモリ、５１１…検体登録表、５１２…検体別処理状況管理表、５１３…優先度別処理状況管理表、１３０４、１３０５、１３０６…制御部、１３０７、１３０８、１３０９…通信部、１３１０、１３１１、１３１２…検査進捗管理部、１３１６、１３１７、１３１８…優先処理方針受付部、１３１９、１３２０、１３２１…検査制御ロジック部、１３２２、１３２３、１３２４…ネットワーク、１３２５、１３２６、１３２７…分析部、１３３４、１３３５、１３３６…保護条件格納表、１３１３、１３１４、１３１５…検査管理メモリ、１３２８、１３２９、１３３０…送り出し部、１３３１、１３３２、１３３３…取り込み部、１４０１…通信部、１４０２…優先処理方針決定表事前登録部、１４０３…介在依頼部、１４０４…ＧＵＩ部。
【図１】
2010137441.tif 000003
【図２】
2010137441.tif 000004
【図３】
2010137441.tif 000005
【図４】
2010137441.tif 000006
【図５】
2010137441.tif 000007
【図６】
2010137441.tif 000008
【図７】
2010137441.tif 000009
【図８】
2010137441.tif 000010
【図９】
2010137441.tif 000011
【図１０】
2010137441.tif 000012
【図１１】
2010137441.tif 000013
【図１２】
2010137441.tif 000014
【図１３】
2010137441.tif 000015
【図１４】
2010137441.tif 000016
【図１５】
2010137441.tif 000017
【図１６】
2010137441.tif 000018
【図１７】
2010137441.tif 000019
【図１８】
2010137441.tif 000020
【図１９】
2010137441.tif 000021
【図２０】
2010137441.tif 000022
【図２１】
2010137441.tif 000023
【図２２】
2010137441.tif 000024
【図２３】
2010137441.tif 000025
【図２４】
2010137441.tif 000026
【図２５】
2010137441.tif 000027
【図２６】
2010137441.tif 000028
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
検体検査装置とネットワークを介して接続する検体検査装置管理サーバであって、
優先処理要求に対する受け入れ方針を決定するための検体優先処理方針決定表を記憶する記憶部と、
検体ＩＤおよび優先処理要求レベルを示す情報を含む検体優先処理要求を受け付けた際に、前記優先処理要求レベルに対応する、検体の処理状況と優先度とに応じた処理方針を示す前記検体優先処理方針決定表を選択し、前記選択した検体優先処理方針決定表を用いて、前記検体ＩＤに対応する検体の優先処理方針を決定し、当該検体の優先処理方針を示す情報を前記検体検査装置に送信する処理部とを備えることを特徴とする検体検査装置管理サーバ。
【請求項２】
請求項１記載の検体検査装置管理サーバにおいて、
優先処理要求レベルに応じて異なる複数の前記検体優先処理方針決定表を備えることを特徴とする検体検査装置管理サーバ。
【請求項３】
請求項１記載の検体検査装置管理サーバにおいて、
前記検体優先処理方針決定表は、前記検体の処理状況と優先度とに応じて、少なくとも拒絶領域および受け入れ領域のうちの１つを示す情報を含み、
前記処理部は、前記選択した検体優先処理方針決定表を用いて、前記検体優先処理要求の拒絶、または受け入れのいずれかを選択することで前記検体優先処理方針を決定し、前記検体優先処理要求を受け入れると決定した場合に、当該検体の優先処理方針を示す情報を前記検体検査装置に送信することを特徴とする検体検査装置管理サーバ。
【請求項４】
請求項１記載の検体検査装置管理サーバにおいて、
前記検体優先処理方針決定表は、前記検体の処理状況と優先度とに応じて、少なくとも拒絶領域および受け入れ領域のうちの１つを示す情報を含み、
前記処理部は、前記選択した検体優先処理方針決定表を用いて、前記検体優先処理要求の拒絶と受け入れのいずれかを選択することで前記検体優先処理方針を決定し、前記検体優先処理要求を受け入れると判定した場合に、前記受け入れ領域に設定された保護領域を参照して保護条件を生成し、前記保護条件を指定して前記検体の優先処理方針を示す情報を前記検体検査装置に送信することを特徴とする検体検査装置管理サーバ。
【請求項５】
請求項１記載の検体検査装置管理サーバにおいて、
前記検体優先処理方針決定表は、少なくとも拒絶領域、受け入れ領域、および介在領域のうちの１つを示す情報を含み、
前記処理部は、前記選択した検体優先処理方針決定表を用いて、前記検体優先処理要求の拒絶、受け入れ、または介在のいずれかを選択することで前記検体優先処理方針を決定し、介在を選択する場合には、介在を選択した後に優先処理方針補足情報を受け付け、前記優先処理方針補足情報に基づいて前記検体の優先処理方針を決定することを特徴とする検体検査装置管理サーバ。
【請求項６】
請求項５記載の検体検査装置管理サーバにおいて、
前記介在要求が少なくとも検体ＩＤ、子検体ＩＤ、前記検体優先処理方針決定表、および処理状況データの中の１つを含むことを特徴とする検体検査装置管理サーバ。
【請求項７】
請求項５記載の検体検査装置管理サーバにおいて、
前記優先処理方針補足情報が少なくとも検体ＩＤ、子検体ＩＤ、および保護条件の中の１つを含むことを特徴とする検体検査装置管理サーバ。
【請求項８】
検体の検査に係る検体検査装置において、
優先処理要求に対する受け入れ方針を決定するための検体優先処理方針決定表を記憶する記憶部と、
検体ＩＤおよび優先処理要求レベルを示す情報を含む検体優先処理要求を受け付けた際に、前記優先処理要求レベルに対応する、検体の処理状況と優先度とに応じた処理方針を示す前記検体優先処理方針決定表を選択し、前記選択した検体優先処理方針決定表を用いて前記検体ＩＤに対応する検体の優先処理方針を決定する処理部とを備えることを特徴とする検体検査装置。
【請求項９】
請求項８記載の検体検査装置において、
優先処理要求レベルに応じて異なる複数の前記検体優先処理方針決定表を備えることを特徴とする検体検査装置。
【請求項１０】
請求項８記載の検体検査装置において、
前記検体優先処理方針決定表は、前記検体の処理状況と優先度とに応じて、少なくとも拒絶領域および受け入れ領域のうちの１つを示す情報を含み、
前記処理部は、前記選択した検体優先処理方針決定表を用いて、前記検体優先処理要求の拒絶、または受け入れのいずれかを選択することで前記検体優先処理方針を決定し、前記検体優先処理要求を受け入れると決定した場合に、当該優先処理方針に基づいて当該検体を検査することを特徴とする検体検査装置。
【請求項１１】
請求項８記載の検体検査装置において、
前記検体優先処理方針決定表は、前記検体の処理状況と優先度とに応じて、少なくとも拒絶領域および受け入れ領域のうちの１つを示す情報を含み、
前記処理部は、前記選択した検体優先処理方針決定表を用いて、前記検体優先処理要求の拒絶と受け入れのいずれかを選択することで前記検体優先処理方針を決定し、前記検体優先処理要求を受け入れると判定した場合に、前記受け入れ領域に設定された保護領域を参照して保護条件を生成し、前記保護条件を指定して前記検体優先処理方針に基づいて当該検体を検査することを特徴とする検体検査装置。
【請求項１２】
請求項８記載の検体検査装置において、
前記検体優先処理方針決定表は、少なくとも拒絶領域、受け入れ領域、および介在領域のうちの１つを示す情報を含み、
前記処理部は、前記選択した検体優先処理方針決定表を用いて、前記検体優先処理要求の拒絶、受け入れ、または介在のいずれかを選択することで前記検体優先処理方針を決定し、介在を選択する場合には、介在を選択した後に優先処理方針補足情報を受け付け、前記優先処理方針補足情報に基づいて前記検体優先処理方針を決定することを特徴とする検体検査装置。
【請求項１３】
請求項１２記載の検体検査装置において、
前記介在要求が少なくとも検体ＩＤ、子検体ＩＤ、前記検体優先処理方針決定表、および処理状況データの中の１つを含むことを特徴とする検体検査装置。
【請求項１４】
請求項１２記載の検体検査装置において、
前記優先処理方針補足情報が少なくとも検体ＩＤ、子検体ＩＤ、および保護条件の中の１つを含むことを特徴とする検体検査装置。
【請求項１５】
前処理装置および分析装置から構成される検体検査装置群、ローカル端末、および検体アクセスシステムとネットワーク経由で接続して検体の検査を遂行する検体検査装置管理サーバであって、
優先処理要求に対する受け入れ方針を決定するための特定検体優先処理方針決定表を予め記憶する方針管理データベースと、
前記検体アクセスシステムから特定検体ＩＤおよび優先処理要求レベル識別コードを含む特定検体優先処理要求を受け付けた際に、前記特定検体優先処理要求に添付される優先処理要求レベル識別コードに対応する、検体の処理状況と優先度とに応じた処理方針を示す前記特定検体優先処理方針決定表を選択し、前記選択した特定検体優先処理方針決定表を用いて、前記特定検体ＩＤに関する検体ＩＤを指定して特定検体優先処理方針を前記検体検査装置群に送信する処理部とを備えたことを特徴とする検体検査装置管理サーバ。
【請求項１６】
前処理装置および分析装置から構成される検体検査装置群、ローカル端末、および検体アクセスシステムをネットワークで接続して検体の検査を遂行する検体検査システムであって、
優先処理要求に対する受け入れ方針を決定するための特定検体優先処理方針決定表を予め記憶する方針管理データベースと、
前記検体検査装置群に設けられ、前記検体アクセスシステムから特定検体ＩＤおよび優先処理要求レベル識別コードを含む特定検体優先処理要求を受け付けた際に、前記特定検体優先処理要求に添付される優先処理要求レベル識別コードに対応する、検体の処理状況と優先度とに応じた処理方針を示す前記特定検体優先処理方針決定表を選択し、前記選択した特定検体優先処理方針決定表を用いて、特定検体優先処理方針を決定し、前記特定検体ＩＤに関する検体ＩＤを指定して前記特定検体優先処理方針を前記前処理装置および前記分析装置に送信する処理部とを備えたことを特徴とする検体検査システム。
【請求項１７】
前処理装置および分析装置から構成される検体検査装置群、検体検査装置管理サーバ、ローカル端末、および検体アクセスシステムをネットワークで接続して検体の検査を遂行する検体検査方法であって、
前記検体検査装置管理サーバにより、優先処理要求に対する受け入れ方針を決定するための特定検体優先処理方針決定表を予め記憶し、前記検体アクセスシステムから特定検体ＩＤおよび優先処理要求レベル識別コードを含む特定検体優先処理要求を受け付けた際に、前記特定検体優先処理要求に添付される優先処理要求レベル識別コードに対応する、検体の処理状況と優先度とに応じた処理方針を示す前記特定検体優先処理方針決定表を選択し、前記選択した特定検体優先処理方針決定表を用いて、特定検体優先処理方針を決定し、前記特定検体ＩＤに関する検体ＩＤを指定して前記特定検体優先処理方針を前記検体検査装置群に送信し、
前記検体検査装置群により、前記特定検体優先処理方針を受信した際に、前記検体ＩＤに関する処理が完了しているか否かを判定し、処理が完了していない場合にのみ前記特定検体優先処理方針に基づいて検体検査を遂行することを特徴とする検体検査方法。
【国際調査報告】
2010137441.tif 000029
2010137441.tif 000030